(57)【要約】【課題】光ファイバーネットワークで、ユーザシステム間のデータ送信を行う。【解決手段】光ファイバーネットワークにおいて、特定の波長に対応する光搬送波は、波長分割多重化光搬送波上でハブノードから特定のローカルノードへ下りデータストリームを搬送する。そして、下りデータストリームは、光搬送波上へ直交周波数分割多重化される。各ローカルノード内の単一のパラレル信号検出器は下り光搬送波すべてを検出する。信号処理モジュールは、ローカルノードに対応する特定の波長を有する光搬送波からデータストリームを逆多重化する。上りデータストリームは、同じ特定の波長を有する上り光搬送波上で直交周波数分割多重化されてローカルノードからハブノードへ送信される。送信待ちの上りデータは、特定の副搬送波および時間スロットへ割振られる。【選択図】図１ａ
2009095021.tif 000002
【特許請求の範囲】
【請求項１】
複数のユーザシステム間でデータを送信する光ファイバーネットワークにおいて、
複数の波長から選択された対応する特定の下り波長をそれぞれ有する複数の下り光搬送波を、少なくとも１つの単方向ファイバーリングへ送信するように構成された多重波長光送信器と、
前記複数の下り光搬送波上のそれぞれの対応する特定の下りデータストリームを、直交周波数分割多重化するように構成された第１のマルチプレクサと、
前記複数の波長から選択された対応する特定の上り波長をそれぞれ有し、かつ、直交周波数分割多重化によって多重化された対応する特定の上りデータストリームをそれぞれ搬送する複数の上り光搬送波を、前記少なくとも１つの単方向ファイバーリングから受信するように構成された第１のパラレル信号検出器と、
前記対応する特定の上りデータストリームそれぞれを直交周波数分割逆多重化するように構成された第１のデマルチプレクサと、を備えるハブノードと、
前記複数のユーザシステムから選択された第１のユーザシステムと通信するように構成され、
前記複数の波長から選択された対応する第１の上り波長を有する第１の上り光搬送波を、前記少なくとも１つの単方向ファイバーリングへ送信するように構成された第１の単波長光送信器と、
前記第１の上り光搬送波上に対応する第１の上りデータストリームを直交周波数分割多重化するように構成された第２のマルチプレクサと、
前記複数の下り光搬送波を受信するように構成された第２のパラレル信号検出器と、
対応する特定の下り波長が前記対応する第１の上り波長と等しい前記特定の下り光搬送波上の、対応する特定の下りデータストリームを直交周波数分割逆多重化するように構成された第２のデマルチプレクサと、を備える第１のローカルノードと、
前記複数のユーザシステムから選択された第２のユーザシステムと通信するように構成され、
前記複数の波長から選択された対応する第２の上り波長を有する第２の上り光搬送波を、前記少なくとも１つの単方向ファイバーリングへ送信するように構成された第２の単波長光送信器と、
前記第２の上り光搬送波上に対応する第２の上りデータストリームを直交周波数分割多重化するように構成された第３のマルチプレクサと、
前記複数の下り光搬送波を受信するように構成された第３のパラレル信号検出器と、
対応する特定の下り波長が前記対応する第２の上り波長と等しい前記特定の下り光搬送波上の、対応する特定の下りデータストリームを直交周波数分割逆多重化するように構成された第３のデマルチプレクサと、を備える第２のローカルノードとを有する光ファイバーネットワーク。
【請求項２】
請求項１に記載の光ファイバーネットワークにおいて、
前記少なくとも１つの単方向ファイバーリングが、単方向パス交換リングとして構成された動作リングおよび保護リングを備えている光ファイバーネットワーク。
【請求項３】
請求項２に記載の光ファイバーネットワークにおいて、
前記ハブノードが、前記動作リングと前記保護リングとの間で上りと下りのトラフィックを切替えるように構成された第１の光スイッチをさらに備えている光ファイバーネットワーク。
【請求項４】
請求項２に記載の光ファイバーネットワークにおいて、
前記第１のローカルノードが、前記動作リングと前記保護リングとの間で上りと下りのトラフィックを切替えるように構成された第２の光スイッチをさらに備えている光ファイバーネットワーク。
【請求項５】
請求項２に記載の光ファイバーネットワークにおいて、
前記第２のローカルノードが、前記動作リングと前記保護リングとの間で上りと下りのトラフィックを切替えるように構成された第３の光スイッチをさらに備えている光ファイバーネットワーク。
【請求項６】
請求項１に記載の光ファイバーネットワークにおいて、
前記第１のマルチプレクサが、前記複数の下り光搬送波上のそれぞれに、対応する特定の下りデータストリームを直交周波数分割多重化および時分割多重化するようにさらに構成されている光ファイバーネットワーク。
【請求項７】
請求項１に記載の光ファイバーネットワークにおいて、
前記第１のデマルチプレクサが、前記対応する特定の上りデータストリームそれぞれを、直交周波数分割逆多重化および時分割逆多重化するようにさらに構成されている光ファイバーネットワーク。
【請求項８】
請求項１に記載の光ファイバーネットワークにおいて、
前記ハブノードが、
第１の複数の仮想出力キュー内に、前記少なくとも１つの単方向ファイバーリングへ送信されるのを待っている第１の複数のデータパケットを格納するように構成された第１の仮想出力キューモジュールと、
前記第１の複数の仮想出力キューから選択された第１の組のデータパケットの送信を制御するように構成された第１のコントローラと、
前記第１の組のデータパケットを第１の組の副搬送波および第１の組の時間スロットへマッピングするように構成された第１の副搬送波および時間スロット割振／割当モジュールとをさらに備えている光ファイバーネットワーク。
【請求項９】
請求項８に記載の光ファイバーネットワークにおいて、
前記第１のコントローラが、前記第１のローカルノードからの第１の上りトラフィックの送信と、前記第２のローカルノードからの第２の上りトラフィックの送信とを制御するようにさらに構成されている光ファイバーネットワーク。
【請求項１０】
請求項１に記載の光ファイバーネットワークにおいて、
前記第１のローカルノードは、
対応する特定の下り波長が前記対応する第１の上り光学波長に等しい、前記特定の下り光搬送波を停止し、
前記複数の下り光搬送波中の他の下り光搬送波を送信するように構成された第１の波長選択性フィルタをさらに備えている光ファイバーネットワーク。
【請求項１１】
請求項１に記載の光ファイバーネットワークにおいて、
前記第２のマルチプレクサが、前記第１の上り光搬送波上に、対応する第１の上りデータストリームを直交周波数分割多重化および時分割多重化するようにさらに構成されている光ファイバーネットワーク。
【請求項１２】
請求項１に記載の光ファイバーネットワークにおいて、
前記第２のデマルチプレクサが、前記対応する特定の下りデータストリームそれぞれを、直交周波数分割逆多重化および時分割逆多重化するようにさらに構成されている光ファイバーネットワーク。
【請求項１３】
請求項１に記載の光ファイバーネットワークにおいて、
前記第１のローカルノードが、
第２の複数の仮想出力キュー内に、前記少なくとも１つの単方向ファイバーリングへ送信されるのを待っている第２の複数のデータパケットを格納するように構成された第２の仮想出力キューモジュールと、
前記第２の複数の仮想出力キューから選択された第２の組のデータパケットの送信を制御するように構成された第２のコントローラと、
第２の組の副搬送波および第２の組の時間スロットへ前記第２の組のデータパケットをマッピングするように構成された第２の副搬送波および時間スロット割振／割当モジュールとをさらに備えている光ファイバーネットワーク。
【請求項１４】
請求項１に記載の光ファイバーネットワークにおいて、
前記第２のローカルノードは、
対応する特定の下り波長が前記対応する第２の上り光学波長と等しい、前記特定の下り光搬送波を停止し、
前記複数の下り光搬送波中の他の下り光搬送波を送信するように構成された第２の波長選択性フィルタをさらに備えている光ファイバーネットワーク。
【請求項１５】
請求項１に記載の光ファイバーネットワークにおいて、
前記第３のマルチプレクサが、前記第２の上り光搬送波上に、対応する第２の上りデータストリームを直交周波数分割多重化および時分割多重化するようにさらに構成されている光ファイバーネットワーク。
【請求項１６】
請求項１に記載の光ファイバーネットワークにおいて、
前記第３のデマルチプレクサが、前記対応する特定の下りデータストリームのそれぞれを、直交周波数分割逆多重化および時分割逆多重化するようにさらに構成されている光ファイバーネットワーク。
【請求項１７】
請求項１に記載の光ファイバーネットワークにおいて、
前記第２のローカルノードが、
第３の複数の仮想出力キュー内に、前記少なくとも１つの単方向ファイバーリングへ送信されるのを待っている第３の複数のデータパケットを格納するように構成された第３の仮想出力キューモジュールと、
前記第３の複数の仮想出力キューから選択された第３の組のデータパケットの送信を制御するように構成された第３のコントローラと、
第３の組の副搬送波および第３の組の時間スロットへ前記第３の組のデータパケットをマッピングするように構成された第３の副搬送波および時間スロット割振／割当モジュールとをさらに備えている光ファイバーネットワーク。
【請求項１８】
請求項１に記載の光ファイバーネットワークにおいて、
前記少なくとも１つの単方向ファイバーリングと接続された、Ｍ個（Ｍは１以上の整数）の追加のローカルノードをさらに備えている光ファイバーネットワーク。
【請求項１９】
少なくとも１つの単方向ファイバーリングによって接続されたハブノードと複数のローカルノードとの間でデータを送信する方法において、
前記ハブノードから前記少なくとも１つの単方向ファイバーリングへ、第１の波長を有する第１の下り光搬送波と第２の波長を有する第２の下り光搬送波とを送信する処理であって、前記第１の下り光搬送波が第１の直交分割多重化された下りデータストリームを搬送し、前記第２の下り光搬送波が第２の直交分割多重化されたデータストリームを搬送する処理と、
前記複数のローカルノードから選択された第１のローカルノードにおいて、前記少なくとも１つの単方向ファイバーリングから前記第１の下り光搬送波と前記第２の下り光搬送波とを受信する処理と、
前記第１のローカルノードにおいて、前記第１の直交分割多重化された下りデータストリームを直交周波数分割逆多重化する処理と、
前記第１のローカルノードにおいて前記第１の下り光搬送波を停止する処理と、
前記第１のローカルノードから前記少なくとも１つの単方向ファイバーリング内へ、第１の直交分割多重化された上りデータストリームを搬送する前記第１の波長を有する第１の上り光搬送波を送信する第１送信処理と、
前記複数のローカルノードから選択された第２のローカルノードにおいて、前記少なくとも１つの単方向ファイバーリングから前記第２の下り光搬送波と前記第１の上り光搬送波とを受信する処理と、
前記第２のローカルノードにおいて、前記第２の直交分割多重化された下りデータストリームを直交周波数逆多重化する処理と、
前記第２のローカルノードにおいて前記第２の下り光搬送波を停止する処理と、
前記第２のローカルノードから前記少なくとも１つの単方向ファイバーリング内へ、第２の直交分割多重化された上りデータストリームを搬送する前記第２の波長を有する第２の上り光搬送波を送信する第２送信処理と、
前記ハブノードにおいて、前記少なくとも１つの単方向ファイバーリングから前記第１の上り光搬送波と前記第２の上り光搬送波とを受信する処理と、
前記ハブノードにおいて、前記第１の直交分割多重化された上りデータストリームと前記第２の直交分割多重化された上りデータストリームとを直交周波数分割逆多重化する処理とを含む方法。
【請求項２０】
請求項１９に記載の方法において、
前記少なくとも１つの単方向ファイバーリングが、単方向パス交換リングとして構成された動作リングおよび保護リングを備えている方法。
【請求項２１】
請求項１９に記載の方法において、
前記第１の直交分割多重化された下りデータストリームと、前記第２の直交分割多重化された下りデータストリームと、前記第１の直交分割多重化された上りデータストリームと、前記第２の直交分割多重化された上りデータストリームとが一連のフレーム上で転送され、
前記一連のフレームそれぞれが、第１の複数の副搬送波および下りサブフレーム時限を含んでいる下りサブフレームと、第２の複数の副搬送波および複数の時間スロットを含んでいる上りサブフレームとを備えている方法。
【請求項２２】
請求項２１に記載の方法において、
前記上りサブフレームが、前記第２の複数の副搬送波から選択された特定の組の副搬送波と、前記複数の時間スロットから選択された特定の組の時間スロットとをそれぞれ有する複数の特定の資源ユニットをさらに備えている方法。
【請求項２３】
請求項２２に記載の方法において、
専用制御チャネルを介して前記ハブノードと前記第１のローカルノードとの間で第１の組の制御メッセージを交換することにより、前記第１のローカルノードから送信する第１送信処理を制御する制御メッセージ交換処理と、
前記専用制御チャネルを介して前記ハブノードと前記第２のローカルノードとの間で第２の組の制御メッセージを交換することにより、前記第２のローカルノードから送信する第２送信処理を制御する処理とをさらに含む方法。
【請求項２４】
請求項２３に記載の方法において、
前記第１の組の制御メッセージを交換する制御メッセージ交換処理は、
前記ハブノードから前記第１のローカルノードへ第１の帯域幅ポーリングメッセージを送信する処理と、
前記第１の帯域幅ポーリングメッセージに応答して、前記第１のローカルノードから前記ハブノードへ第１の帯域幅要求メッセージを送信する処理と、
前記第１の帯域幅要求メッセージに応答して、前記ハブノードから前記第１のローカルノードへ第１の帯域幅許諾メッセージを送信する処理とを含む方法。
【請求項２５】
請求項２４に記載の方法において、
前記第１の帯域幅要求メッセージが前記第１のローカルノード内の仮想キューの長さを報告する方法。
【請求項２６】
請求項２４に記載の方法において、
前記第１の帯域幅許諾メッセージに応答して、前記第１のローカルノードから前記ハブノードへ第１のデータバーストを送信する処理をさらに含む方法。
【請求項２７】
請求項２６に記載の方法において、
前記第１のデータバーストが、前記第１の帯域幅許諾メッセージを介して前記ハブノードによって割振られた第１の組の特定の資源ユニット内へ送信される方法。
【請求項２８】
請求項２７に記載の方法において、
前記第１の組の特定の資源ユニットが、少なくとも部分的に、
前記データバーストの優先度と、
前記データバーストのサービス品質と、
前記第１のローカルノード内の仮想キュー長さと、
利用可能な特定の資源ユニットとの少なくとも１つに基づいて割り振られる方法。
【請求項２９】
請求項２６に記載の方法において、
前記第１のデータバーストは、
同期フィールドと、
区切フィールドと、
送信元アドレス／宛先アドレスフィールドと、
トラフィックタイプフィールドと、
バースト長フィールドと、
ペイロードとの少なくとも１つを含む方法。
【請求項３０】
請求項２９に記載の方法において、
前記ペイロードは、
インターネットプロトコル（ＩＰ）データパケットと、
イーサネットフレームと、
高精細度テレビジョンフレームと、
時分割多重フレームとを含む方法。
【発明の詳細な説明】
【技術分野】
【０００１】
本発明は、一般には光伝送（転送）ネットワークに関し、より詳細には、直交周波数分割多重アクセスに基づく光リングネットワークに関する。
【背景技術】
【０００２】
本出願は、２００７年１０月８日出願の米国特許仮出願第６０／９７８，２９１号の利益を主張し、これを参照により本明細書に組み込む。
【０００３】
ファイバーによる光伝送は、コア（バックボーン）ネットワークの高速音声／データ転送の主要な伝送モードになっている。マルチメディアサービス（音声、データ、映像）に対する顧客の需要が増加していることに伴い、光伝送ネットワークは、ローカルアクセスネットワークおよび宅内ネットワークにも展開されている。コアネットワークは、一般的に、大手の通信接続業者によって制御されており、明確に定義されたアーキテクチャとネットワーク構成を有している。コストも多数の顧客全体にわたって償却される。しかし、ローカルアクセスネットワークおよび宅内ネットワークでの高速転送の場合、アーキテクチャは、同じようには明確に定義されていない。コストが償却される顧客の数も少ない。
【発明の開示】
【発明が解決しようとする課題】
【０００４】
柔軟で、適応性があり、かつ堅牢なアーキテクチャ、ならびに低コストの構成要素を備えた光伝送システムが必要とされている。
【課題を解決するための手段】
【０００５】
一実施形態では、光ファイバーネットワークは、少なくとも１つの単方向ファイバーリングによって接続されたハブノードと複数のローカルノードとの間でデータを送信する。下りデータストリームは、波長分割多重化下り光搬送波上をハブノードからローカルノードへ搬送される。特定の波長に対応する光搬送波は、下りデータストリームを特定のローカルノードへ搬送する。下りデータストリームは、直交周波数分割多重化によって、光搬送波上に多重化される。各ローカルノード内の単一のパラレル信号検出器が、すべての下り光搬送波を検出する。信号処理モジュールは、特定のローカルノードに対応する特定の波長を有する光搬送波からの下りデータストリームを逆多重化する。上りデータストリームは、直交周波数分割多重化によって特定の波長を有する上り光搬送波上で多重化されて、特定のノードから少なくとも１つの単方向ファイバーリング内へ送信される。すべての上りデータストリームは、ハブノードによって受信されて処理される。ローカルノード内で送信待ちとなっている上りデータは、制御モジュールならびに副搬送波および時間スロット割振モジュールによって、特定の副搬送波および時間スロットへ割振られる。
【０００６】
本発明のこれらおよび他の利点は、以下の詳細な説明および添付図面を参照することにより、当業者には明白になるであろう。
【発明を実施するための最良の形態】
【０００７】
図１ａは、光伝送（転送）ネットワークＯＴＮ１００の上位レベルの概略を示す図である。一実施形態では、ＯＴＮ１００は単リングアーキテクチャを有してもよい。図１ａに示した実施形態では、ＯＴＮ１００は、ネットワークの信頼性を向上する二重リングアーキテクチャを有する。ＯＴＮ１００を適用することが可能な応用例としては、メトロポリタンアクセスネットワークおよび敷地内光ファイバー化ネットワーク（fiber-to-the-premises networks）が挙げられる。図１ａに示した実施形態では、ＯＴＮ１００は、単一のハブノードＨＮ１０２と、３つのローカルノードＬＮ１  １０４〜ＬＮ３  １０８とを含んでおり、これらはファイバーリングＦＲ１１０およびＦＲ１１２によって接続されている。一般に、複数のローカルノードが存在していてもよい。本明細書においては、ローカルノードを、アクセスノードおよびローカルアクセスノードともいう。
【０００８】
２つのファイバーリングは、単方向パス交換リング（ＵＰＳＲ）ネットワークを形成する。ＦＲ１１０およびＦＲ１１２は、逆回転リングとして構成されている。動作トラフィックは、動作リングと呼ばれるＦＲ１１０内で時計方向に流れる。動作トラフィックとは、正常なネットワーク動作条件下で転送されるデータストリームを指す。ＦＲ１１０が中断された場合またはローカルノードが故障した場合、トラフィックは、保護リングと呼ばれるＦＲ１１２に切替えられてもよい。保護トラフィックとは、ネットワーク障害の条件下で転送されるデータストリームを指す。保護トラフィックは、ＦＲ１１２内を反時計方向に流れる。図１ａに示した実施形態においては、ＨＮ１０２は、コアネットワーク１３２と接続されている。本明細書においては、コアネットワークを、バックボーンネットワークともいう。ＨＮ１０２は、例えば、中央局の光線路端末装置と接続されていてもよい。一実施形態では、ＯＴＮ１００は、スタンドアロン型ネットワークであってもよい。すなわち、ＨＮ１０２とコアネットワークとの間が接続されておらず、データは、ＨＮ１０２とＬＮ１  １０４〜ＬＮ３  １０８との中でのみ転送される。
【０００９】
ＬＮ１  １０４〜ＬＮ３  １０８は、ユーザシステムＵＳ１  １３４〜ＵＳ３  １３８へそれぞれ接続されている。ユーザシステムの例としては、サーバ、ワークステーションおよびパーソナルコンピュータなどの、ローカルエリアネットワークおよびエンドユーザ機器が挙げられる。図１ａに示した実施形態においては、ＬＮ１  １０４は、ユーザインタフェース１１４８を介してＵＳ１  １３４と接続されている。この例では、ユーザインタフェース１１４８は電気的インタフェースである。光学または無線などの他のユーザインタフェースを適用してもよい。
【００１０】
トラフィックは、ソース除去（source-stripping）メカニズムを使用して、同報通信選択的アーキテクチャの形態のＯＴＮ１００内で転送され、その中で、ハブノードＨＮ１０２および各ローカルノードＬＮ１  １０４〜ＬＮ３  １０８は、受動的に、ファイバーリングＦＲ１１０およびＦＲ１１２へトラフィックを付加したり、それらのリングからトラフィックを取去ったりすることができる。ＨＮ１０２は、様々なタイプのトラフィックフローをローカルノードから集約して、それらを指定の宛先に転送する役割を果たす。本明細書においては、下りトラフィックとは、コアネットワークからローカルノードへ、また、ローカルノードからユーザシステムへ転送されるデータストリームのことを指す。上りトラフィックとは、ユーザシステムからローカルノードへ、また、ローカルノードからコアネットワークへ転送されるデータストリームのことを指す。
【００１１】
図１ａにおいては、コアネットワーク１３２からＯＴＮ１００への下りトラフィックはすべて、波長(１〜(３を有する３つの波長分割多重（ＷＤＭ）光搬送波を搬送する多重波長光ビームＯＢ１１７を介して搬送される。ハブノードＨＮ１０２と特定のローカルノードとの間で転送（搬送）されるデータストリームは、その特定のローカルノードに割当てられた対応する特定の波長を有する光搬送波に乗せて転送される。本明細書においては、特定の光搬送波に乗せて搬送されるデータストリームを、特定の光搬送波に対応するデータストリームという。本明細書においては、特定のデータストリームを搬送する光搬送波を、特定のデータストリームに対応する光搬送波という。ＨＮ１０２と特定のローカルノードとの間の下りおよび上りのデータストリームは、両方とも、同じ特定の波長で転送される。図示される例では、ＨＮ１０２とＬＮ１  １０４の間のデータストリームは(１光搬送波に乗せて転送され、ＨＮ１０２とＬＮ２  １０６の間のデータストリームは(２光搬送波に乗せて転送され、ＨＮ１０２とＬＮ３  １０８の間のデータストリームは(３光搬送波に乗せて転送される。多重波長（(１、(２、(３）光ビームＯＢ  １０１は、ＨＮ１０２によって処理された後のＯＢ１１７に相当する。ＬＮ１  １０４は、ＯＢ１０１からの下り(１光搬送波を逆多重化する。ＬＮ１  １０４は、下り(１光搬送波を電気信号に変換し、その電気信号を処理し、下り電気信号ＥＳ１２１を、ユーザインタフェース１１４８を通してＵＳ１  １３４へ送信する。ＯＢ１０１からの下り(１光搬送波は、ＦＲ１１０内での再循環を防ぐためにＬＮ１  １０４で停止される。下り（(２、(３）光搬送波は、ＬＮ１  １０４を通して送信される。本明細書においては、光信号は、光搬送波上の信号の組を指してもよく、電気信号は、電気搬送波上の信号の組を指してもよい。
【００１２】
ＵＳ１  １３４からの上りトラフィックは、上り電気信号ＥＳ１２３を介して、ユーザインタフェース１１４８を通してＬＮ１  １０４へ送信される。ＬＮ１  １０４はＥＳ１２３を処理し、その処理された電気信号を単一波長（(１）光搬送波に変換し、その上り(１光搬送波をＯＢ１０１からの下り（(２、(３）光搬送波を用いて多重化する。結果として得られる多重波長（(１、(２、(３）光ビームＯＢ１０３は、ＬＮ１  １０４からＬＮ２  １０６へ送信される。ＬＮ２  １０６は、ＯＢ１０３からの下り(２光搬送波を分解し、それを処理し、電気信号（図示せず）に変換し、下り電気信号をＵＳ２  １３６へ送信する。下り(２光搬送波は、ＦＲ１１０内での再循環を防ぐためにＬＮ２  １０６で停止される。ＵＳ２  １３６からの上りトラフィックは、上り電気信号（図示せず）を介してＬＮ２  １０６へ送信され、ＬＮ２  １０６は、その電気信号を処理し、それを上り(２光搬送波に変換し、その上り(２光搬送波を、ＬＮ１  １０４からの上り(１光搬送波とＯＢ１０１からの残りの下り(３光搬送波とを用いて多重化する。
【００１３】
結果として得られる多重波長（(１、(２、(３）光ビームＯＢ１０５は、ＬＮ２  １０６からＬＮ３  １０８へ送信され、ＬＮ３  １０８は同様に(３光搬送波を処理する。ＬＮ１  １０４〜ＬＮ３  １０８からの上りトラフィックを搬送する多重波長（(１、(２、(３）光ビームＯＢ１０７は、ＨＮ１０２へ送信される。データストリームの宛先アドレスがＯＴＮ１００の外部にある場合、ＨＮ１０２は、多重波長（(１、(２、(３）光ビームＯＢ１１９を介してデータストリームをコアネットワーク１３２へ送信する。データストリームの宛先アドレスがＯＴＮ１００内にある場合（すなわち、宛先がＬＮ１  １０４〜ＬＮ３  １０８の１つである場合）、ＨＮ１０２は、データストリームをＯＢ１０１上に戻す。ファイバーリングＦＲ１１２上の保護トラフィックは、同様に処理され、光ビームＯＢ１０９〜ＯＢ１１５に乗せて転送される。
【００１４】
一実施形態では、光搬送波上のトラフィックは、直交周波数分割多重アクセスと時分割多重アクセスの組合せ（ＯＦＤＭＡ／ＴＤＭＡ）によって転送される。より詳細に後述するように、トラフィックフローはすべて、同じ電気的ベースバンド内の異なる波長で、多数の直交周波数分割多重化（ＯＦＤＭ）副搬送波に乗せて並列に送信される。異なる副搬送波および異なる時間スロットの組合せは、媒体アクセス制御（ＭＡＣ）プロトコルにより異なるタイプのトラフィックフローまたは異なるローカルノードへ動的に割振られてもよい。副搬送波はすべて、ハブノードおよびすべてのローカルノードによってアクセスされてもよい。個別の副搬送波は、リングのまわりで制御フレームを搬送する制御チャネル用に予約されている。制御フレームは、ハイブリッド型のＯＦＤＭＡ／ＴＤＭＡベースのＭＡＣプロトコルを実現する。
【００１５】
リング内では、下り帯域幅はハブノードからの送信専用であるが、上り帯域幅はすべてのローカルノードの間で共有される。ハブノードは、上り帯域幅の集中制御を行う。ハブノードおよびすべてのローカルノードは、時分割多重（ＴＤＭ）スキームの専用共通制御チャネルを用いて通信する。各ローカルノードは上り帯域幅の一部分を要求してもよい。一実施形態では、より詳細に後述するように、予約ベースのＭＡＣプロトコルはポーリング／要求／許諾メカニズムを帯域幅資源予約に使用する。ハブノード内のスケジューラにより算出された送信機会は、制御チャネルを介して許諾される。ローカルノードは、割振を要求し、送信を待っているデータのキュー長さを報告する（後述の詳細を参照）。ハブノードは、ローカルノードからの要求およびキュー長さをすべて受信し、そして、特定の割振を各ローカルノードへ返送する。その後、ローカルノードは、指定の時間スロットおよび副搬送波上にてデータの送信を開始する。帯域幅をより効率的に利用するため、複数のパケットが１つのデータバーストにまとめられる。ハブノード内の集中型スケジューラは、それ自体と、ローカルノードに対する適切なスロットおよび副搬送波とに下り帯域幅を割当て、衝突が生じないことを確保する。それは、リングの帯域幅利用を最大限にし、各ノードについて最低速度（すなわち、公平）を確保するためである。スケジューリングおよび帯域幅の割振は、サービス品質（ＱｏＳ）、遅延時間、優先度、キュー長さおよび入力データ速度などのユーザ定義パラメータの機能である。当業者であれば、特定のネットワーク構成および用途に対して、スケジューリングおよび帯域幅割振アルゴリズムの実施形態を構築することができる。
【００１６】
ローカルノードの詳細を以下に記載する。一実施形態では、ＨＮ１０２などのハブノードの本質的特徴は、ＬＮ１  １０４などのローカルノードの特徴と類似している。ただし、ハブノードは、追加の物理的および機能的な特徴を有する。物理レベルでは、ハブノードは多重波長光送信器を有しているが、ローカルノードは単一波長光送信器を有している。（多重波長光送信器は、異なる波長をそれぞれ放出する一連の単一波長光送信器を指してもよいことに留意されたい。）機能レベルでは、ハブノードは、リングネットワークに対して集中制御機能を行う。また、ハブノードは、リングネットワークとコアネットワークとの間のゲートウェイの役割を果たしてもよい。当業者であれば、後述するローカルノードの詳細からハブノードの実施形態を構築することができる。
【００１７】
図１ｂは、代表的なローカルノード、すなわち図１ａのＬＮ１  １０４の詳細な概略を示す図である。インタフェース１１４０は、ＬＮ１  １０４に対するＦＲ１１０の入口点である。インタフェース１１４２は、ＦＲ１１０に対するＬＮ１  １０４の出口点である。インタフェース１１４４は、ＬＮ１  １０４に対するＦＲ１１２の入口点である。インタフェース１１４６は、ＦＲ１１２に対するＬＮ１  １０４の出口点である。インタフェース１１４８は、ＬＮ１  １０４とＵＳ１  １３４の間の電気的インタフェースである。一般的に、インタフェース１１４８は、双方向インタフェースである。
【００１８】
図１ｂに示した実施形態では、ＬＮ１０４は、光リングインタフェースモジュール１０４−Ａと、信号処理モジュール１０４−Ｂと、媒体アクセス制御モジュール１０４−Ｃとの３つの主要モジュールを含んでいる。各モジュールの詳細は後述する。
【００１９】
光リングインタフェースモジュール１０４−Ａは、光学処理、光−電子変換、および電子−光変換を行う。ＦＲ１１０上でＨＮ１０２からの下り動作トラフィックを搬送する多重波長（(１、(２、(３）光ビームＯＢ１０１は、インタフェース１１４０でＬＮ１  １０４に入り、例えばエルビウム添加ファイバー増幅器（ＥＦＤＡ）であってもよい可変利得光増幅器ＯＡ１４８によって増幅される。増幅された光ビーム１４３は、本実施例では５０／５０の分割比を有する光スプリッタ１５０によって、２つの光ビームＯＢ１４７とＯＢ１４５とに分割される。ＯＢ１４７は、下り(１光搬送波の停止と下り（(２、(３）光搬送波の送信とを行う波長フィルタ１５２を通じて送信される。波長フィルタ１５２は、例えば、波長選択的スイッチまたは薄膜フィルタであってもよい。その後、フィルタ処理された光ビームＯＢ１４９は光カプラー１５４へ送信され、該光カプラーは、後述するように、光ビームＯＢ１５１からの上りλ１光搬送波を用いて下り（(２、(３）光搬送波を多重化する。光スプリッタ１５０を再び参照すると、ＯＢ１４５は、光スイッチ１６６へ送信される。ＯＢ１４５のさらなる処理は後述する。
【００２０】
同様に、保護トラフィックは、インタフェース１１４４でＬＮ１  １０４へ入る多重波長（(１、(２、(３）光ビームＯＢ１１３を介して、ＦＲ１１２上をＬＮ２  １０６からＬＮ１  １０４へ送信される。ＯＢ１１３は、光増幅器ＯＡ１５６によって増幅され、その増幅された光ビームＯＢ１５３は、光スプリッタ１５８により２つの光ビームＯＢ１５５とＯＢ１５７とに分割される。ＯＢ１５５は、光スイッチ１６６へ送信される。ＯＢ１５７は、(１光搬送波の停止と（(２、(３）光搬送波の送信とを行う波長フィルタ１６０へ送信される。そして、フィルタ処理された光ビームＯＢ１５９は、後述するように、光ビームＯＢ１６１からの上り(１光搬送波を用いてＯＢ１５９の多重化を行う光カプラー１６２へ送信される。インタフェース１１４６にてＬＮ１  １０４を出る、結果として得られる多重波長（(１、(２、(３）光ビームＯＢ１１５は、その後、ＨＮ１０２へ送信される。光スイッチ１６６は、ＦＲ１１０とＦＲ１１２との間でトラフィックを切替える。光スイッチ１６６と、光カプラー１５０と、光カプラー１５４と、光カプラー１５８と、光カプラー１６２と、光カプラー１６４とは、単方向パス交換リング保護機能を提供する。
【００２１】
考察を簡単にするため、以下の実施例は動作トラフィックのみを含む。当業者であれば、保護トラフィックの実施形態を構築することができる。光リングインタフェースモジュール１０４−Ａ内の光電子処理は、以下のように行われる。まず、下りデータストリームについて考察する。上述したように、ＯＢ１４５は、下り（(１、(２、(３）光搬送波を転送する。ＯＢ１４５は、光スイッチ１６６を介して経路を定められる。ＯＢ１４５−Ｏとして示した切り替えられた光ビームは、（ベースバンド周波数ミラー化（baseband frequency mirroring）および帯域通過フィルタ処理によって）異なる波長で複数の光信号を同時に受信することができるパラレル信号検出器ＰＳＤ１７２へ送信される。ＰＳＤ１７２は、（ＯＢ１４５−Ｏに乗せて搬送された）光信号を、ＥＳ１４５−Ｅとして示したアナログ電気信号へ変換して、該ＥＳ１４５−Ｅは、その後、アナログ／デジタル変換器ＡＤＣ１７４によってデジタル化される。結果として得られるＥＳ１６３として示すデジタル電気信号は、次に、信号処理モジュール１０４−Ｂへ送信される。信号処理のさらなる詳細は後述する。
【００２２】
光リングインタフェースモジュール１０４−Ａ内での上りデータストリームの処理は、以下のように行われる。信号処理モジュール１０４−Ｂ（さらに後述する）からの上りデータは、デジタル電気信号ＥＳ１８１を介して光リングインタフェースモジュール１０４−Ａへ送信されて、その後、デジタル／アナログ変換器１７０によってアナログ電気駆動信号ＥＳ１８３−Ｅに変換される。ＥＳ１８３−Ｅは、例えば単一波長（(１）レーザーダイオードを含むものでもよい光送信器１６８を駆動する。光送信器１６８によって放出された、結果として得られる光ビームＯＢ１８３−Ｏは、次に光スプリッタ１６４へ送信され、該光スプリッタは、ＯＢ１８３−Ｏを、ＯＢ１５１およびＯＢ１６１として示した２つの光ビームに分割する。動作上り(１光搬送波を搬送するＯＢ１５１は、動作下り（(２、(３）光搬送波を搬送するＯＢ１４９を用いてＯＢ１５１を多重化する光カプラー１５４へ送信されて、多重波長（(１、(２、(３）光ビームＯＢ１０３が生成され、それがインタフェース１１４２を介してＦＲ１１０内へ送信される。同様に、保護上り(１光搬送波を搬送するＯＢ１６１は、光カプラー１６２へ送信され、ＯＢ１５９を用いて多重化されて光ビームＯＢ１１５が生成され、それがインタフェース１１４６を介してＦＲ１１２内へ送信される。
【００２３】
信号処理モジュール１０４−Ｂ内の信号処理は、以下のように行われる。一実施形態では、信号処理モジュール１０４−Ｂは、フィールドプログラマブルゲートアレイ（ＦＰＧＡ）に基づくデジタル信号プロセッサ（ＤＳＰ）によって実現される。下りパスでは、ＡＤＣ１７４の出力側からの無線周波（ＲＦ）デジタル電気信号ＥＳ１６３は、ディバイダ１９０と、局部発振器１９６（周波数ｆｃ）と、ミキサ１９２と、ミキサ１９８と、π／２位相シフタ１９４とを有するデジタルＩ／Ｑミキサ１１３０により処理される。デジタルＩ／Ｑミキサ１１３０の出力は、直交位相（Ｑ）信号である電気信号ＥＳ１６９と、同相（Ｉ）信号である電気信号ＥＳ１７１とである。ＥＳ１６９およびＥＳ１７１は、高速フーリエ変換（ＦＦＴ）プロセッサ１１００へ入力される。ＦＦＴプロセッサ１００の出力は、例えば１６−ＱＡＭ（直交振幅変調）復調器であってもよいデジタル復調器１１０２へ入力される。電気信号ＥＳ１７３として示したデジタル復調器１１０２の出力は、副搬送波および時間スロット割振／割当（subcarrier and time slot allocation and assignment）（ＳＴＡＡ）モジュール１１０４へ入力される。本明細書においては、デジタルＩ／Ｑミキサ１１３０、ＦＦＴプロセッサ１１００およびデジタル復調器１１０２の組合せを、直交周波数分割デマルチプレクサ１１６０という。一実施形態では、信号処理モジュール１０４−Ｂは、時分割デマルチプレクサ（図示せず）を含むものでもよい。
【００２４】
上りパスの処理は類似している。電気信号ＥＳ１７５は、ＳＴＡＡモジュール１１０４から、例えば１６−ＱＡＭ変調器であってもよいデジタル変調器１８８へ出力される。デジタル変調器１８８の出力は、逆高速フーリエ変換（ＩＦＦＴ）プロセッサ１８６へ入力される。ＩＦＦＴプロセッサ１８６の出力は、電気信号ＥＳ１７７（同相（Ｉ）信号）および電気信号ＥＳ１７９（直交位相（Ｑ）信号）である。ＥＳ１７７およびＥＳ１７９は、デジタルＩ／Ｑミキサ１１４０によって処理されて、ＲＦデジタル信号ＥＳ１８１を発生し、それがデジタル／アナログ変換器ＤＡＣ１７０に入力される。デジタルＩ／Ｑミキサ１１４０は、ミキサ１７８と、ミキサ１８４と、局部発振器１８２と、π／２位相シフタ１８０と、コンバイナー１７６とを備えている。本明細書では、デジタル変調器１８８、ＩＦＦＴプロセッサ１７７およびデジタルＩ／Ｑミキサ１１４０の組合せは、直交周波数分割マルチプレクサ１１７０と呼ばれる。一実施形態では、信号処理モジュール１０４−Ｂは、時分割マルチプレクサ（図示せず）を含むものでもよい。
【００２５】
図１ｂにおいては、ＭＡＣモジュール１０４−Ｃにおける処理は、以下のように行われる。図１ａを再び参照すると、ユーザシステム１３４から、ＬＮ２  １０６とＬＮ３  １０８とＨＮ１０２とへ送信されたデータパケットは、電気信号ＥＳ１２３に乗ってＬＮ２  １０４のユーザインタフェース１１４８内に転送される。同様に、ＬＮ２  １０６とＬＮ３  １０８とＨＮ１０２とからＬＮ１  １０４へ送信されたデータパケットは、電気信号ＥＳ１２１に乗ってユーザインタフェース１１４８から出てユーザシステム１３４へ転送される。一実施形態では、ユーザインタフェース１１４８との間での送信待ちとなっているパケットは、一連の複数の仮想キューへ格納される。仮想キューは、仮想出力キューおよび仮想入力キューを含んでいる。
【００２６】
図１ｂに示した実施形態では、ＶｏＱメモリモジュール１１０６は、一連の個々の仮想出力キューを保持している。ＶｏＱ［１、２］１１０８は、ＬＮ１  １０４からＬＮ２  １０６への送信待ちをしているパケット用の仮想出力キューである。ＶｏＱ［１、３］１１１０は、ＬＮ１  １０４からＬＮ３  １０８への送信待ちをしているパケット用の仮想出力キューである。ＶｏＱ［１、Ｈ］１１１２は、ＬＮ１  １０４からＨＮ１０２への送信待ちをしているパケット用の仮想出力キューである。上述したように、宛先がＯＴＮ１００の外部にあるパケットは、やはり最初にＨＮ１０２へ経路を定められる。ＶｏＱ［ＣＣ］１１１６は、専用制御チャネル（後述）に沿ってＬＮ１  １０４からＨＮ１０２へ送信されるメッセージ用の特別の仮想出力キューである。簡単にするため、図１ｂは、ＬＮ２  １０６からＬＮ１  １０４へ、ＬＮ３  １０８からＬＮ１  １０４へ、ならびに、ＨＮ１０２からＬＮ１  １０４へ送信されるパケット用の対応する個々の仮想入力キューは示していない。受信パケットは、ユーザインタフェース１１４８からユーザシステム１３４へ送信待ちとなっている間、個々の仮想入力キューに格納されている。当業者であれば、仮想入力キューを用いた実施形態を構築することができる。
【００２７】
さらに詳細に後述するように、一連の副搬送波および時間スロットを含んでいる資源ユニット（ＲＵ）がＶｏＱに割り当てられる。ＲＵのサイズ（副搬送波の数および時間スロットの数）は、サービス品質（ＱｏＳ）、遅延時間、優先度、キュー長さおよび入力データ速度などのユーザ定義パラメータに応じて動的に変化してもよい。制御モジュール１１１８と副搬送波および時間スロット割振／割当（ＳＴＡＡ）モジュール１１０４とは、帯域幅の共有と、ＶｏＱ１１０６に対する副搬送波と時間スロットの組のマッピングとを行う役割を果たす。さらに詳細に後述するように、複数のパケットは、より効率的に送信を行うために、データバーストに集約される。衝突を回避しつつＯＦＤＭＡベースの光リング帯域幅を動的に共有するために、後述するようにＭＡＣプロトコルが使用される。専用制御チャネル（追加の送受信器を何も必要としない）を用いて、ＱｏＳを保証することが可能な予約情報を含む制御メッセージの交換が行われる。
【００２８】
予約ベースのＭＡＣプロトコルメッセージフローの実施形態を図２に示す。それは、（ａ）ローカルノード登録フェーズ２０２、（ｂ）帯域幅（ＢＷ）資源予約フェーズ２０４、（ｃ）バースト送信フェーズ２０６、および（ｄ）ローカルノード登録解除フェーズ２０８の４つのフェーズを含んでいる。帯域幅資源予約とは、時間スロットおよび副搬送波の割振りのことを指す。リングは単方向リングであるため、リング帯域幅は下り帯域幅と上り帯域幅との２つの部分に分割される。下り帯域幅はハブノードからの送信専用であるが、上り帯域幅はすべてのローカルノードの間で共有される。
【００２９】
図２に示した実施例では、専用制御チャネル上で、ローカルノードＬＮ１  １０４とハブノードＨＮ１０２（図１ａを参照）との間で制御メッセージの交換が行われる。通信を開始するため、ＬＮ１  １０４は最初にＨＮ１０２に登録する。ローカルノード予約フェーズ２０２の間、ＬＮ１  １０４は最初に登録要求２３０をＨＮ１０２へ送信し、ＨＮ１０２は登録ＡＣＫ／ＮＡＫ２３２によって応答する。ＡＣＫ（肯定応答）は登録が処理されたことを示す。ＮＡＫ（否定応答）は登録が処理されていないことを示す。ＡＣＫを受信すると、ＬＮ１  １０４はＨＮ１０２に対して登録確認２３４を送信する。すると、ＬＮ１  １０４がＨＮ１０２に登録される。
【００３０】
次に、帯域幅資源予約フェーズ２０４へ移る。ＨＮ１０２は、帯域幅要求に関してＬＮ１  １０４をポーリングする。ＨＮ１０２は、ＢＷポーリング２３６をＬＮ１  １０４に対して送信し、ＬＮ１  １０４は、ＢＷ要求２３８によって応答する。一実施形態では、ＢＷ要求２３８は、さらにキュー長さ（例えば、ＶｏＱ１１０６の中のキュー長さ）をＨＮ１０２へ報告してもよい。ＢＷ要求２３８を受信すると、次に、ＨＮ１０２は、ＢＷ許諾２４０をＬＮ１  １０４に対して送信する。ＬＮ１  １０４がＢＷ許諾２４０を受信すると、バースト送信フェーズ２０６へ移る。ＬＮ１  １０４は、データバースト２４２をＨＮ１０２へ送信する。データバースト２４２は、例えば、ＶｏＱ１１０６からのパケットを含んでいる。ＢＷポーリングとＢＷ要求とＢＷ許諾とデータバーストとのシーケンスは、バースト送信フェーズ２０６の間、複数回繰り返して行われてもよい。ＬＮ１  １０４がそれ以上ＨＮ１０２との通信を要求しない場合、ローカルノード登録解除フェーズ２０８へ移る。ＬＮ１  １０４は、登録解除２９０をＨＮ１０２に対して送信し、ＨＮ１０２は、ＬＮ１  １０４を登録解除して登録解除ＡＣＫ２９２によって応答する。登録解除ＡＣＫ２９２を受信すると、ＬＮ１  １０４は登録解除確認２９４をＨＮ１０２へ返す。すると、ＬＮ１  １０４の登録が解除される。
【００３１】
図３に示す実施形態では、データは、一連のフレーム（シーケンス）（スケジューリングサイクルとも呼ばれる）において送信される。連続フレームは、フレーム間ギャップ３３０によって分離される。フレーム３０２は、１つの下りサブフレーム３０４と１つの上りサブフレーム３０６とを含んでいる。下りサブフレーム３０４および上りサブフレーム３０６も、ギャップによって分離される。下りサブフレーム３０４は、ハブノード（図１ａのＨＮ１０２と同様）による送信用にのみ使用される。下りサブフレーム３０４の長さは、ハブノード内にて変化するトラフィック量に適応するように調整可能である。本明細書においては、下りサブフレームの長さを、下りサブフレーム時限という。上りサブフレーム３０６は、複数の時間スロットに分割される。代表的な時間スロットは、時間スロット３３２として示したものである。一実施形態では、時間スロット３３２の長さは、１２５(ｓである。一般的には、時間スロットの長さは、ユーザによって指定される。一般的に、フレームの長さはフレームごとに変化してもよい。一般的に、下りサブフレームの長さはフレームごとに変化してもよい。一般的に、上りサブフレームの長さはフレームごとに変化してもよい。
【００３２】
図３においては、副搬送波は垂直軸３２６に沿ってマッピングされ、時間スロットは水平軸３２４に沿ってマッピングされる。代表的な副搬送波は、副搬送波３３４である。本明細書においては、資源ユニット（ＲＵ）とは、副搬送波と時間スロットとのブロックのことを指す。一般的に、資源ユニット内の副搬送波の数と時間スロットの数とはユーザによって指定される。一般的に、資源ユニット内の副搬送波の数と時間スロットの数とは、資源ごと（例えば、ＲＵ１  ３７０〜ＲＵ３  ３７４を比較）に変化してもよい。一連の資源ユニットは、制御チャネル３３８用に排他的に予約されている。
【００３３】
ハブノードは、各ローカルノード（図１ａのＬＮ１  １０４〜ＬＮ３  １０８など）に資源ユニットを割振ってもよく、その資源ユニットを用いて、ローカルノードは、各フレーム送信の間に情報を書込んでもよい。上述したように、割振は、図２において上述したポーリング／要求／許諾メカニズムを利用して、予約ベースのＭＡＣプロトコルによって行われる。制御メッセージは、制御チャネル３３８を介してハブノードとローカルノードとの間で交換される。ＨＮ１０２は、資源のスケジューリングの制御を行い、また、各フレームの間に各ローカルノードに対してＲＵを保証するようにしてもよい。公平性およびアクセス遅延は、帯域幅割振りアルゴリズムと、スケジューリングサイクルの長さなどのパラメータ値とに応じて変化する。
【００３４】
図３においては、例えば、ハブノードＨＮ１０２は、ＢＷ許諾メッセージ３５０〜ＢＷ許諾メッセージ３５４を、ＬＮ１  １０４〜ＬＮ３  １０８それぞれに対して送信する。ＢＷ許諾メッセージは、ローカルノードに対してＲＵを割振る。例えば、ＢＷ許諾メッセージ３５０〜ＢＷ許諾メッセージ３５４は、ＲＵ１  ３７０〜ＲＵ３  ３７４をＬＮ１  １０４〜ＬＮ３  １０８にそれぞれ割振る。ＢＷ許諾メッセージ３５０〜ＢＷ許諾メッセージ３５４は、前のフレームでＬＮ１  １０２〜ＬＮ３  １０８が送信したＢＷ要求メッセージに応答して、ＨＮ１０２により送信される。ＢＷ要求メッセージ３６０〜ＢＷ要求メッセージ３６４は、次のフレームにおいてＲＵを要求するために、ＬＮ１  １０４〜ＬＮ３  １０８から（制御チャネル３３８を介して）ＨＮ１０２に対して送信される。上述したように、ＢＷ要求メッセージ３６０〜ＢＷ要求メッセージ３６４は、ＬＮ１  １０４〜ＬＮ３  １０８それぞれのキュー長さをＨＮ１０２へ報告するものでもよい。
【００３５】
ローカルノードは、上りデータを送信するとき、上り帯域幅をより効率的に利用するため、最初に複数のデータパケットを単一のデータバーストに集約する。一般的に、単一のデータバーストのなかのデータパケットの数はユーザによって指定される。一般的に、データバーストの長さは変化してもよい。図３に示した実施形態では、以下の、（ａ）同期／区切フィールド３１０と、（ｂ）送信元アドレス／宛先アドレス（ＳＡ／ＤＡ）３１２と、（ｃ）トラフィックタイプ３１４と、（ｄ）バースト長３１６と、（ｅ）ペイロード３１８のフィールドとをＲＵ３  ３７４が有している間、データバースト３０８の送信が行われる。さらに、フレーム検査シーケンスＦＣＳ３２０もある。一般的に、異なるタイプのトラフィックは、単一データバースト内で送信されてもよい。トラフィックのタイプとしては、例えば、イーサネット、高精細度テレビジョン（ＨＤＴＶ）および時分割多重化（ＴＤＭ）が挙げられる。当業者であれば、他の構造およびフィールドを用いて資源ユニットの実施形態を構築してもよい。
【００３６】
上述の「発明を実施するための最良の形態」は、あらゆる点で、実例および例示のためのものであって限定目的ではないことを理解すべきであり、本明細書にて開示される本発明の範囲は、「発明を実施するための最良な形態」によってではなく、特許法によって認められる最大限の範囲に従って解釈される請求項によって決められるべきものである。本明細書に示し記載した実施形態は、単に本発明の原理を説明するものであり、本発明の範囲および趣旨から逸脱することなく、当業者によって様々な変形が実現されてもよいことを理解されたい。当業者であれば、本発明の範囲および趣旨から逸脱することなく、他の様々な特徴の組み合わせを実現することができる。
【図面の簡単な説明】
【００３７】
【図１ａ】光リングネットワークのハイレベル概略図である。
【図１ｂ】ローカルノードの概略図である。
【図２】媒体アクセス制御プロトコルのメッセージフロー図である。
【図３】データフレームの概略図である。
【符号の説明】
【００３８】
１００  ネットワーク
１０２  ハブノード
１０４、１０６、１０８  ローカルノード
１１０、１１２  ファイバーリング
１３２  コアネットワーク
１３４、１３６、１３８  ユーザシステム
【図１ａ】
2009095021.tif 000003
【図１ｂ】
2009095021.tif 000004
【図２】
2009095021.tif 000005
【図３】
2009095021.tif 000006